(57)【要約】【課題】トレイ及びラックへ準備する試験管の全てについて一つのラベル印字貼付装置でラベルを貼着し、ラベル貼着後の試験管の搬送途中においてトレイ又はラック側へ振り分けて供給する。【解決手段】ラベルを貼着した後の試験管の搬送路の途中に、トレイ供給用停止位置とラック供給用停止位置との二つの停止位置を設けてそれぞれにコンベアを連携させる。トレイへの供給が選択された場合は、トレイ供給用停止位置に連携する搬送コンベアからトレイ内へ直接落下供給し、ラックへの供給が選択された場合は、搬送路の途中で試験管の向きを検出して反対向きの試験管をターンテーブルで反転させて揃えるようにし、搬送路の終端側に設けた湾曲した試験管の姿勢変更通路部を通じて試験管を起立した姿勢でラックの保持孔へ投入する。【選択図】  図２
2008268032.tif 000002
【特許請求の範囲】
【請求項１】
患者の検査に必要な種類の試験管を選択して取り出し、これに患者情報等を印字したラベルを貼着し、ラベル貼着後の試験管をラック又はトレイへ患者ごとに収納して準備する試験管の準備方法であって、ラベルを貼着した後の試験管の搬送路の途中に、トレイ供給用停止位置とラック供給用停止位置との二つの停止位置を設けてそれぞれにコンベアを連携させることにより、試験管をトレイ側又はラック側へ選択的に振り分けて供給するようにし、トレイへの供給が選択された場合は、トレイ供給用停止位置に連携する搬送コンベアからトレイ内へ直接落下供給し、ラックへの供給が選択された場合は、搬送路の途中で試験管の向きを検出して反対向きの試験管をターンテーブルで反転させて揃えるようにし、搬送路の終端側に設けた湾曲した試験管の姿勢変更通路部を通じて試験管を起立した姿勢でラックの保持孔へ投入するようにしたことを特徴とするトレイ又はラックへの試験管の準備方法。
【請求項２】
患者の検査に必要な種類の試験管を種類別に収容する試験管収容部と、該試験管収容部から取り出した試験管に患者情報等を印字したラベルを貼着するラベル印字貼付装置とを備え、ラベルを貼着した後の試験管の搬送路の途中に、トレイ供給用停止位置とラック供給用停止位置との二つの停止位置を設け、トレイ供給用停止位置にはトレイへの搬送コンベアを連携接続し、ラック供給用停止位置にはラックへの搬入コンベアを連携接続し、ラック搬入コンベアの途中に試験管の切出装置と試験管の向き検出部を設け、切出装置の排出側下方に切出された試験管を受け取るためのターンテーブルを配置し、ターンテーブルの底板に開閉シャッターを設け、開閉シャッターの下方に搬出コンベアを設け、搬出コンベアの終端側を湾曲させて試験管が水平状態から垂直状態になるように試験管の姿勢変更通路部を形成し、ラックの保持孔へ試験管を立てた状態で供給するようにしたことを特徴とするトレイ又はラックへの試験管準備装置。
【請求項３】
ラベルを貼着した後の試験管の搬送路が上下方向に往復駆動するリフターであって、最上部にラック供給用停止位置が設けられ、その下方にトレイ供給用停止位置が設けられている請求項２に記載のトレイ又はラックへの試験管準備装置。
【発明の詳細な説明】
【技術分野】
【０００１】
本発明は、採血検査の前工程における採血工程での試験管の事前準備作業を行なうものであって、医師からの採血指示に応じて種類の異なる試験管を選択し、これに患者ＩＤや前記採血指示内容等の患者情報を印字したラベルを貼着し、患者別にトレイ又はラックへ選択的に収納することのできる試験管準備装置に関するものである。
【背景技術】
【０００２】
病院、医院、その他の医療機関における血液検査部門では、採血作業者（看護師等）により、患者から血液を採取し、採取した検体を試験管へ収容して検査部門へ移送するようにしている。血液検査では、その血液検査項目に応じて、多種類の試験管が準備されており、通常、一人の患者に対して複数種類の検査が同時に行われる。そのため、試験管の準備も一人の患者に対して複数種類のものが試験管準備装置によって自動的に準備されるようになっている。また採血室では多数の患者を取り扱うのが当たり前であり、前記試験管準備装置で準備された各試験管にはオーダ番号等のバーコードが印刷されたラベルが貼付されている。
そして、試験管の準備は、患者ごとに一つのトレイを準備し、前記選択された複数本のラベル貼着済の試験管を一つのトレイへ収容し、採血室へ搬送するようにしている。
このような採血業務の自動化を図り、採血業務を支援する技術として、特許文献１及び特許文献２に記載された技術がある。
【０００３】
この特許文献１に記載された技術は、複数の試験管収容部を備え、医師からの採血オーダ情報に基づいて患者の採血に必要な種類の試験管を対応する試験管収容部から取り出し、ラベル印字・貼付手段を用いて、患者の採血に関する情報をラベルに印字し、印字後のラベルを取り出した試験管に貼り付けるようにしている。そして、ラベル貼付後の試験管を排出手段で試験管回収部まで移送し、試験管回収部にてラベル貼付後の試験管を患者毎にトレイで収容するようにしている。
この特許文献１の試験管は、複数の試験管収容部に収容されているとき及びラベル貼付位置へ移動するとき、ラベル貼付後にトレイへ移動するとき、トレイの中に収容されているときの全てにおいて水平状態を維持している。
【０００４】
一方、ラックへ試験管を準備する従来技術として特許文献２に記載されたものがある。この特許文献２の技術は、一列に並んだラックの保持孔にそれぞれ試験管を差し込んで保持し、試験管を立てた状態で患者の採血に関する情報を印字したラベルを試験管の外周面に当接させ、貼付ロールで試験管の外周面に押し付けてラベルを試験管の外周面に貼着している。そして、保持孔の一個分だけラックを前進移動させ、次の保持孔に保持された試験管の外周面に同様にして患者の採血に関する情報を印字したラベルを貼着するようにしている。
この特許文献２の試験管は、ラックに保持されたとき以降は垂直状に立った姿勢を保っている。
【特許文献１】特開平１０−５９３３６号公報
【特許文献２】特開２０００−１５３８１８号公報
【発明の開示】
【発明が解決しようとする課題】
【０００５】
ところが、特許文献１に示すように、ラベル貼着後の試験管をトレイへ準備する技術では、試験管が水平状態で移動し、水平状態の試験管に対してラベルを貼着するものであるのに対し、試験管をラックへ準備する技術にあっては特許文献２に示すように、ラックの保持孔へ試験管を差し込んで起立状態に保持した状態で試験管の外周面にラベルを貼着している。
【０００６】
従って、試験管をトレイへ準備する場合とラックへ準備する場合とでは、ラベルの貼着方式が全く異なり、ラベルの印字貼付装置を一つのもので兼用できないため、試験管のトレイへの準備装置とラックへの準備装置とには全く異なる方式のラベルの印字貼付装置をそれぞれ独立して別個に組み込む必要があり、試験管のトレイへの準備装置とラックへの準備装置とはそれぞれが独立した相互に関連性のない製品となっていた。
また試験管をラックへ準備する場合は、看護士などの病院側スタッフが医師などからの指示書に基づいてラックへ採血管を準備し、ラベル印字装置で患者情報、採血情報などの特定情報を印字したラベルをプリントアウトし、これを病院側スタッフがラックに立設した試験管へ手貼りで貼着するようにすることもあった。
【０００７】
本発明は従来の前記課題に鑑みてこれを改良除去したものであって、トレイ及びラックへ準備する試験管の全てについて一つのラベル印字貼付装置でラベルを貼着し、ラベル貼着後の試験管の搬送途中においてトレイ又はラック側へ振り分けて供給するようにしたトレイ又はラックへの試験管準備装置を提供せんとするものである。
【課題を解決するための手段】
【０００８】
而して、前記課題を解決するために本発明が採用した請求項１の手段は、患者の検査に必要な種類の試験管を選択して取り出し、これに患者情報等を印字したラベルを貼着し、ラベル貼着後の試験管をラック又はトレイへ患者ごとに収納して準備する試験管の準備方法であって、ラベルを貼着した後の試験管の搬送路の途中に、トレイ供給用停止位置とラック供給用停止位置との二つの停止位置を設けてそれぞれにコンベアを連携させることにより、試験管をトレイ側又はラック側へ選択的に振り分けて供給するようにし、トレイへの供給が選択された場合は、トレイ供給用停止位置に連携する搬送コンベアからトレイ内へ直接落下供給し、ラックへの供給が選択された場合は、搬送路の途中で試験管の向きを検出して反対向きの試験管をターンテーブルで反転させて揃えるようにし、搬送路の終端側に設けた湾曲した試験管の姿勢変更通路部を通じて試験管を起立した姿勢でラックの保持孔へ投入するようにしたことを特徴とするトレイ又はラックへの試験管の準備方法である。
【０００９】
本発明が採用した請求項２の手段は、患者の検査に必要な種類の試験管を種類別に収容する試験管収容部と、該試験管収容部から取り出した試験管に患者情報等を印字したラベルを貼着するラベル印字貼付装置とを備え、ラベルを貼着した後の試験管の搬送路の途中に、トレイ供給用停止位置とラック供給用停止位置との二つの停止位置を設け、トレイ供給用停止位置にはトレイへの搬送コンベアを連携接続し、ラック供給用停止位置にはラックへの搬入コンベアを連携接続し、ラック搬入コンベアの途中に試験管の切出装置と試験管の向き検出部を設け、切出装置の排出側下方に切出された試験管を受け取るためのターンテーブルを配置し、ターンテーブルの底板に開閉シャッターを設け、開閉シャッターの下方に搬出コンベアを設け、搬出コンベアの終端側を湾曲させて試験管が水平状態から垂直状態になるように試験管の姿勢変更通路部を形成し、ラックの保持孔へ試験管を立てた状態で供給するようにしたことを特徴とするトレイ又はラックへの試験管準備装置である。
【００１０】
本発明が採用した請求項３の手段は、ラベルを貼着した後の試験管の搬送路が上下方向に往復駆動するリフターであって、最上部にラック供給用停止位置が設けられ、その下方にトレイ供給用停止位置が設けられている請求項２に記載のトレイ又はラックへの試験管準備装置である。
【発明の効果】
【００１１】
請求項１の発明にあっては、先ず、採血検査受付がなされると、当該患者に関する医師などの採血指示情報が上位コンピュータを通じて試験管準備装置へ伝達される。試験管準備装置では、前記採血指示情報に基づいて、患者の検査に必要な種類の試験管を選択して取り出し、これに患者情報等を印字したラベルを貼着し、ラベルを貼着した試験管を準備するようにしている。
そして、ラベルを貼着した後の試験管の搬送路の途中に、トレイ供給用停止位置とラック供給用停止位置との二つの停止位置を設けてそれぞれにコンベアを連携させることにより、試験管をトレイ側又はラック側へ選択的に振り分けて供給するようにしている。
トレイへの供給が選択された場合は、トレイ供給用停止位置に連携する搬送コンベアからトレイ内へ直接落下供給している。一方、ラックへの供給が選択された場合は、搬送路の途中で試験管の向きを検出して反対向きの試験管をターンテーブルで反転させて揃えるようにし、搬送路の終端側に設けた湾曲した試験管の姿勢変更通路部を通じて試験管を起立した姿勢でラックの保持孔へ投入するようにしている。
【００１２】
このようにトレイ又はラックへ試験管を準備する場合にあって、一つのラベル印字貼付装置でトレイ及びラックへ供給する試験管に対してラベルを印字及び貼着して準備するようにすることで、それぞれの装置へ複数種類の試験管の収容部（ストッカー）と、ラベルの印字貼付装置とを組み込む必要がなくなり、イニシャルコストの低減及び装置全体の構成のシンプル化が可能となる。
またトレイへの準備装置とラックへの準備装置とを、搬送路の途中で分離できるように構成することもできるようになり、トレイへの試験管準備装置のみを使用している状態で、オプションによりラックへの試験管準備装置を後付けで追加装備することも可能である。
【００１３】
請求項２の発明は、前記請求項１の方法発明を実現するための具体的な試験管準備装置の発明である。本発明の試験管準備装置は、先ず、患者の検査に必要な種類の試験管を種類別に収容する試験管収容部を有している。試験管準備装置は、医師などの採血指示情報に基づいて、前記収容部から必要な試験管を取り出している。取り出された試験管は、ラベル印字貼付装置へ供給される。ラベル印字供給装置では、採血受付を行った患者に対応する情報をラベルへ印字し、これを前記供給されてきた試験管へ貼付する。この試験管へのラベル貼付までは、従来公知の装置を利用することが可能である。
【００１４】
次に、ラベル貼着後の試験管は、搬送路の途中でトレイ供給用停止位置か又はラック供給用停止位置のいずれかの位置まで搬送される。停止位置の選択は、トレイへ準備するのかラックへ準備するのかの予め定められた指令に基づいて行われる。ラックへの供給用停止位置には、ラックへの搬入コンベアが連携接続されており、該搬入コンベアへ移載されたラベル貼着後の試験管は、その終端側から下方に待機するトレイへ自然落下により供給される。
またラック供給停止位置からラック搬入コンベアへ移載された試験管は、その途中に配設された試験管の向き検出部により、試験管の搬送方向が検知される。これは例えば光電式の投受光センサーを用い、試験管の底部側が先になって搬送されて来たときは、投光センサーからの光が試験管を透過して受光センサーで受光することで検知でき、また試験管の頭部が先になって搬送されて来たときは、試験管頭部のゴム栓又はラベルによって投光センサーからの照射光が遮断されることによって検知できる。
【００１５】
試験管の向きが検知された後は、切出装置によって搬入コンベアから搬出コンベア側へ切り出されて供給される。切り出された試験管は、ターンテーブルへ落下供給される。そして、前記向き検出装置からの信号によって、試験管の向きが頭部側が先になって搬送されて来たときは、ターンテーブルを水平面内で１８０度回転させ、底部が先になるように方向を整列する。ターンテーブルは、その底壁に開閉シャッターが設けられており、底部側が先となるように整列された試験管は、開閉シャッターが開くことで下方の搬出コンベアへ移載される。
搬出コンベアの終端側は、その終端側が水平状態から垂直状態となるように湾曲した通路（姿勢変更通路部）に形成されている。この通路を通過することで試験管は、水平姿勢から垂直姿勢となる。そのため、搬出コンベア終端側の排出口の直下に目的とするラックの保持孔を位置させることにより、ラックの保持孔へ立てた状態で試験管を供給することが可能である。
このように、本装置を使用すれば、トレイ及びラックへ準備する試験管の全てについて一つのラベル印字貼付装置でラベルを貼着し、ラベル貼着後の試験管の搬送途中においてトレイ又はラック側へ振り分けて供給するようにすることができる。
【００１６】
請求項３の発明にあっては、ラベルを貼着した後の試験管の搬送路を、上下方向に往復駆動するリフターで構成するようにしている。最上部にラック供給用停止位置を設け、その下方にトレイ供給用停止位置を設けている。
このように上下方向に往復移動するリフターに二段階の停止位置を設けることにより、水平方向の搬送路に二段階の停止位置を設ける場合に比較してスペース的に非常に有利である。
【発明を実施するための最良の形態】
【００１７】
以下に、本発明の構成を図面に示す発明の実施の形態に基づいて説明すると次の通りである。図１乃至図４は本発明の一実施の形態に係るトレイＴ又はラックＲへの試験管準備装置１を示すものであり、図１は同装置１の全体を示す平面図、図２は同正面図、図３はラック装置３の右側面図、図４はラベラー本体２の右側面図である。
【００１８】
図１乃至図４に示す如く、この実施の形態のトレイＴ又はラックＲへの試験管準備装置１は、ラベラー本体２と、このラベラー本体２に対して後付け装備が可能であり、しかも独立して分離可能なラック装置３とを有している。ラベラー本体２は、種類の異なる試験管Ｓごとに多数を収容してなる収容部（ストッカー）と、該収容部から切り出された採血管Ｔに対して上位コンピュータからの患者情報をラベルへ印字し、印字したラベルを試験管の外周面へ貼着するラベル印字貼付装置と、ラベル貼付後の試験管を排出する搬送手段とを本体内に装備している。これらのラベラー本体内の各装置の構成と機能については、既に公知のオートラベラーの技術と同じであり、この公知技術を利用することが可能である。またラベラー本体２は、その上面側にトレイ機構部４と、トレイＴへの試験管を搬送するためのＬ字状に配設された第一及び第二の試験管搬送コンベア５、６とを有している。またラベラー本体２の上面側には、トレイストッカー７と、手貼り用のラベルへ患者情報等を印字する手貼りラベラー８とが設置されている。
【００１９】
ところで、本実施の形態にあっては、ラベラー本体２内に組み込まれたオートラベラーでラベルが貼着された後の試験管Ｓを排出する搬送手段に連係し、後述するトレイ又はラックへ搬送する搬送手段としてのリフター９を有している。リフター９は、ラベラー本体２の背面側に装着されており、オートラベラーの試験管排出側からラベル貼着後の試験管Ｓを受け取る小寸法の昇降コンベア１０を有している。昇降コンベア１０は、ベルト駆動手段１１によって上下方向往復移動可能に設けられており、最下降位置でオートラベラーの試験管搬送装置からラベル貼着後の試験管Ｓを受け取り、最上位位置でラック装置３側へ試験管Ｓを受け渡し、それよりもやや下方の中間位置でトレイ機構側へ試験管Ｓを受け渡すようになっている。すなわち、昇降コンベア１０は、最も下方の試験管受取位置と、最も上位のラック供給停止位置と、最上位位置よりもやや下方のトレイ供給停止位置との三つの停止位置を採ることができるように設定されている。
【００２０】
ラック装置３は、前記リフター９のラック供給停止位置における昇降コンベア１０から供給される試験管Ｓを受け取る搬入コンベア１２と、搬入コンベア１２から受け取った試験管Ｓの搬送方向の向きを検出し、試験管Ｓの底部が先になって搬送されるように試験管Ｓの向きを揃えるターンテーブル１３と、ターンテーブル１３から受け取った試験管Ｓをラック供給側へ搬送する搬出コンベア１４と、搬出コンベア１４に連続する投入シュート１５と、投入シュート１５の下方に待機し、投入シュート１５から排出される試験管Ｓを待ち受けるラックＲ及びその駆動機構１６とを有している。なお、ラックＲの上には、試験管Ｓの投入姿勢を安定させるためのアタッチメントＡが脱着自在に載置されている。
【００２１】
搬入コンベア１２の終端側には、搬送されて来た試験管Ｓを停止させるストッパー１７と、試験管Ｓの到着を検知する図示しないリミットセンサーなどからなる到着センサーと、該停止位置で停止中の試験管Ｓの先頭部分に赤外線などを照射してその透過光を受光することで試験管Ｓの底部か頭部（開口に栓体が装着されている）かを検出する試験管向き検出部（図示せず）と、停止位置の試験管Ｓを搬送方向とクロスする方向へ切り出す切出装置１８とが設けられている。切出装置１８は、搬入コンベア１２を跨ぐように配置されたＥ字状の切出板１９を有している。切出板１９の開口部は下向きに配置されている。試験管Ｓは、図３における切出板１９の真ん中と右端の板とで仕切られた開口部を先端側が通過し、試験管本体部分が切出板１９に対向する位置で先端部分がストッパーに当接して停止するようになっている。また切出装置１８は、常時はばね等の蓄性弾力をもって図３の右方向へ付勢されており、「切出」動作の開始信号が出力されると、モーターの駆動力によりベルト及びプーリを介して図３の左方向へ移動し、試験管Ｓを切り出すようになっている。ばね等で付勢されているため、手動動作も可能であり、点検などが容易に行えるようになっている。
【００２２】
ターンテーブル１３は、図５の平面図及び図６の正面図に示すように、回転体２０の上面側中央部にホッパー２１が設けられており、ホッパー２１の中央部の底壁に長方形状の開口が穿設されている。また底壁の下方にはボックス状でかつスライド式の開閉シャッター２２が取り付けられている。この開閉シャッター２２は、通常は前記ホッパー底壁の開口を閉塞する方向にばね等の蓄性弾力をもって付勢されている。そして、「開く」旨の信号が出力されると、モーターの駆動力によりベルト及びプーリを介して開方向へ移動し、ホッパー底壁の試験管Ｓを下方の搬出コンベア１４上へ落下供給するようになっている。また開閉シャッター２２は、手動でも開閉できるようになっている。
【００２３】
更に、ターンテーブル１３は、試験管Ｓの進行方向に対する傾き（進行方向に対する試験管中心軸線の水平面内におけるズレ）が生じないようにするために、回転体２０の位置検出機構２３及び位置決め機構２４が設けられている。これは試験管Ｓが傾いたまま搬出コンベア１４によって搬送されると、投入シュート１５からラックＲへ投入されるときの試験管Ｓの姿勢が悪くなり、正確な投入ができなくなる虞があるためである。
回転体２０の位置検出機構２３は、回転体２０の外周側面に取り付けた回転位置検出板２５と光電式の投受光センサー２６とからなり、投光センサーからの赤外線などが回転位置検出板２５によって遮られて受光センサーで受光できなくなったときに、回転体２０が所定の回転位置にあることを検知するようになっている。また位置決め機構２４は、回転体２０の外周側面の一部に設けた凹部に対して電磁ソレノイドにより進退するロックピン２７を嵌合させることにより、回転体２０を固定するようにしている。
【００２４】
更にまた、ターンテーブル１３は、回転体２０のホッパー２１内に試験管Ｓが確実に供給されたか否かの確認と、当該ホッパー２１の開閉シャッターが開いて試験管Ｓが搬出コンベア１４上へ確実に落下供給されたか否かを確認するための試験管検知機構２８を有している。この試験管検知機構２８は、光電式の投光センサー２９と受光センサー３０とが回転体２０を挟んでその外周面に対向配置されている。このときの回転体２０は、ロックピン２７によって回転が固定されており、この位置における投光センサー２９からの照射光が回転体２０を通過して反対側の受光センサー３０で受光されるように回転体２０の外周側面には透過窓が形成されている。前記投光センサー２９から照射される赤外線などの光は、ホッパー２１内の試験管Ｓに対して斜めになるように各センサーの位置が決定されており、ホッパー２１内に試験管Ｓがあるときは、当該試験管Ｓの向きがどちらを向いていてもラベル又は栓体によって前記照射光が遮断されるようになっている。
【００２５】
搬出コンベア１４は、その両側面にガイド板３１が立設されている。このガイド板３１の装置正面側に面する一部分には、蝶番とばね等の蓄性弾力により常時は閉塞方向へ付勢された点検扉３２が取り付けられている。この点検扉３２を作業者が手動により手前へ引くと、蝶番部分を支点として回動し、ターンテーブル直下の搬送コンベア１４が露出するようになっている。開放状態から手を離すと、点検扉３２は蓄性弾力により自動的に閉塞位置まで復帰するようになっている。
また搬出コンベア１４の図２における右端側には、可動板３９が取り付けられており、右端側の下方には試験管Ｓの回収トレイ４０が配置されている。これは、停電などにより装置の電源がＯＦＦになった後、再起動したときに、ラック装置３内に残っている試験管Ｓについては、その情報を認識することができないので、強制的に排出するためのものである。再起動時は、可動板３９を開放し、搬出コンベア１４を逆転させ、ラック装置３内に残っている試験管Ｓを回収トレイ４０へ回収するようにしている。
【００２６】
搬出コンベア１４に連続する投入シュート１５は、その姿勢変更通路部３３が水平状態から垂直状態になるように湾曲しており、その周囲はボックス状に囲われている。この投入シュート１５の装置正面側に面する一部分にも、蝶番とばね等の蓄性弾力により常時は閉塞方向へ付勢された点検扉３４が取り付けられている。この点検扉３４の場合も作業者が手動により手前へ引くと、蝶番部分を支点として回動し、湾曲した姿勢変更通路部３３が露出するようになっている。開放状態から手を離すと、点検扉３４は蓄性弾力により自動的に閉塞位置まで復帰する。
【００２７】
ラックＲは、図１の平面図に表されているように、試験管Ｓを垂直状態に立てて保持できる試験管保持孔３５が設けられており、縦１０列で、横５列の合計５０個の試験管保持孔が形成されている。またこのラックＲの上に脱着自在に載置されるアダプターＡは、前記保持孔３５と同位置に試験管Ｓの投入時の姿勢が垂直状になるように案内補助するための姿勢制御用孔３６が上下方向に貫通して形成されている。
【００２８】
このラックＲを駆動させるラック駆動機構１６は、Ｘ軸方向へ移動自在なスライダー３７とＹ軸方向へ移動自在なスライダー３８とが組み合わされており、ラックＲの各試験管保持孔３５を投入シュート１５の真下へ正確に位置決めできるようになっている。
【００２９】
次に、以上のように構成されたラックＲ又はトレイＴへの試験管準備装置１の動作態様について、トレイＴへ準備する外来患者の場合から説明する。先ず、患者が診察券カード又は整理券などを提示して採血受付を行うと、これらの診察券カードなどに記載又は記憶された患者ＩＤがバーコードリーダ又はＩＣカードリーダ／ライタなどによって読み取られる。読み取られた患者ＩＤは、医療情報システム（ＨＩＳ）、検査情報システム（ＬＩＳ）などの上位コンピュータへ送られ、これらの上位コンピュータから当該患者の患者情報及び採血情報が採血室の試験管準備装置１のラベラー本体２へ伝達される。
【００３０】
ラベラー本体２は、その内部に組み込まれたオートラベラーが前記採血情報に基づいて必要な試験管Ｓを試験管収容部から選択的に取り出し、これをラベル印字貼付装置へ移送する。ラベル印字貼付装置では、前記患者情報及び採血情報をラベルへ印字し、印字後のラベルを前記取り出された試験管の外周面へ貼着する。ラベル貼着後の試験管は、搬送装置により、ラベラー本体２の背面側に取り付けられたリフター９の最下降位置で待機する昇降コンベア１０の位置まで搬送される。リフター９の昇降コンベア１０は、ラベラー本体２の搬送装置によって試験管Ｓが所定の距離に近づくと、ラベラー本体２に設けたセンサーがこれを検知し、昇降コンベア１０を駆動させるようになる。これにより、オートラベラー側から送られてくる試験管Ｓは、そのまま昇降コンベア１０上へ乗り移り、完全に乗り移ると昇降コンベア１０の駆動が停止する。
【００３１】
続いて、リフター９が駆動し、昇降コンベア１０を最上位位置よりもやや下方のトレイ供給停止位置まで上昇させる。昇降コンベア１０は、この位置へ達すると、今度は前記とは逆方向へ回転駆動して試験管Ｓを排出し、第一の試験管搬送コンベア５上へ移載する。移載された試験管Ｓは、この第一のコンベア５に連続してＬ字状に配設された第二のコンベア６に移載され、横向きのままで搬送されてその終端からトレイＴへ落下供給される。昇降コンベア１０は、試験管Ｓが第一コンベア５へ移載された時点で回転駆動が停止される。またリフター９は、昇降コンベア１０を最下降位置まで降下して搬送復帰させる。
【００３２】
このようにして医師などの採血指示を反映した採血指示情報に基づいて、全ての種類のラベル貼着済の試験管ＳがトレイＴへ準備されると、トレイ機構部４はトレイＴをその一個分だけ前進移動させ、トレイストッカー７から試験管Ｓの受け渡し位置へ新たなトレイＴを送り込んで待機する。以上でトレイＴへの試験管Ｓの準備作業は終了する。
なお、患者に特殊な採血指示がなされており、別途試験管を準備する場合はこの試験管に貼着するための手貼りラベルが手貼りラベラー８からトレイＴへ落下供給されるようになっている。
【００３３】
次に、ラックＲへラベル貼着済の試験管Ｓを準備する場合について説明する。試験管ＳのラックＲへの準備は、入院患者などについて行われることが多い。入院病棟などにおいては、その日に採血検査を必要とする患者のリストがナースステーションの端末などにデータとして管理保存されている。病院スタッフが病棟ごとに、当日に行われる採血患者のＩＤをＨＩＳ又はＬＩＳなどに送ると、当該患者に関する患者情報及び採血情報が試験管準備装置１のラベラー本体２へ伝達される。ラベラー本体２では、前記したトレイＴへ試験管Ｓを準備する場合と同じように、その内部に組み込まれたオートラベラーが前記採血情報に基づいて必要な試験管Ｓを試験管収容部から選択的に取り出し、これに前記患者情報及び採血情報を印字したラベルを貼着し、貼着後の試験管Ｓをリフター９の昇降コンベア１０の位置まで搬送する。続いて、昇降コンベア１０が回転駆動し、試験管Ｓを受け取ると、リフター９が駆動し、昇降コンベア１０を最上位位置まで上昇させる。昇降コンベア１０は、この上昇停止位置で逆回転し、試験管Ｓを排出する。排出された試験管Ｓは、ラック装置３の搬入コンベア１２へ落下供給される。
【００３４】
そして、試験管Ｓは、搬入コンベア１２によって、図２の左方向へ搬送され、その終端側で切出装置１８のＥ字状切出板１９の間を通過し、ストッパー１７に当接して停止する。この試験管Ｓの到着は、図示しない到着センサーにより、検知することが可能である。またこの停止位置には、光電式の投受光センサーなどからなる試験管Ｓの向き検出部が配設されており、該停止位置で停止中の試験管Ｓの先頭部分に赤外線などを照射してその透過光を受光することで試験管Ｓの底部か頭部（開口に栓体が装着されている）かを検出する。試験管Ｓの底部側が先になって搬送されている場合は、投光センサーからの照射光は試験管Ｓの底部をそのまま透過して反対側の受光センサーで受光されることで分かる。また試験管Ｓの頭部側が先になって搬送されている場合は、試験管Ｓの頭部には栓体が装着されているので、この栓体によって前記投光センサーから照射された光が遮断され、受光センサーで光検知信号が得られなくなることで分かる。
【００３５】
試験管Ｓの方向検知後は、切出装置１８が前記搬入コンベア１２の搬送方向とはクロスする方向（図３の左方向）へ前進し、試験管Ｓをターンテーブル回転体２０の上面側中央部に設けられたホッパー２１へ落下供給する。試験管検知機構２８は、ホッパー２１内へ試験管Ｓが確実に供給されたかどうかを検出する。試験管Ｓがホッパー２１内に存在しているときは、投光センサー２９から照射された赤外線などの光が、試験管Ｓの外周面に貼着されているラベル又は頭部開口に装着されている栓体によって遮断されて受光センサー３０で受光されないことで分かる。試験管Ｓが存在していないときは、投光センサー２９からの照射光が直接受光センサー３０で受光されることによって分かる。ホッパー２１内に試験管Ｓが存在している状態で、前記向き検出部からの出力信号によって、試験管Ｓの向きが頭部が先になっていることが分かった場合は、モーター及びベルト・プーリー駆動方式により、ターンテーブル１３の回転体２０が１８０度回転する。これにより、搬送方向に対して試験管Ｓの向きが底部が先になるように揃えられる。
【００３６】
このときターンテーブル１３の回転体２０は、試験管Ｓの進行方向に対する傾き（進行方向に対する試験管中心軸線の水平面内におけるズレ）が生じないようにするために、位置検出機構２３で回転体２０の回転位置を検出し、更に位置決め機構２４のロックピン２７によって正確な回転位置で停止するように固定されている。回転体２０の回転停止位置を正確に行うようにした理由は、前記した通りであり、試験管Ｓの中心軸線が傾いたまま搬出コンベア１４によって搬送されると、投入シュート１５からラックＲへ投入されるときの試験管Ｓの姿勢が悪くなり、正確な投入ができなくなる虞があるためである。
このようにして試験管Ｓの向きが底部が先になって搬送されるように揃えられ、回転体２０の回転角度位置が正確に位置決めされると、ホッパー２１内に投入された試験管Ｓは底部が先頭になった上で、その中心軸線が搬出コンベア１４の搬送方向に一致することになる。
【００３７】
然る後は、ホッパー２１の底壁開口を閉塞しているボックス状でかつスライド式の開閉シャッター２２が開動作する。この開閉シャッター２２は、通常は前記ホッパー底壁の開口を閉塞する方向にばね等の蓄性弾力をもって付勢されている。そして、「開く」旨の信号が出力されると、モーターの駆動力によりベルト及びプーリを介して開方向へ移動する。これにより、ホッパー底壁の試験管Ｓは、下方の搬出コンベア１４上へ自然落下により供給される。
【００３８】
搬出コンベア１４は、図２の右側から左側へ向けて試験管Ｓを搬送する。やがて試験管Ｓは、投入シュート１５に至り、その湾曲した姿勢変更通路部３３を通過することによって水平状態から垂直状態となるように姿勢が変更される。そして、垂直状態のまま下方で待機するラックＲの試験管保持孔３５へ落下投入される。このとき、ラックＲの上面側に載置されたアタッチメントＡの姿勢制御用孔３６を通過することにより、ラックＲの上面と投入シュート１５の下端面との間の空間領域における試験管Ｓの姿勢を垂直状に安定して維持することが可能である。これは、ラックＲの上面とアタッチメントＡの下端面との間には、所定寸法の空間領域が設けられているからである。この空間領域は、ラックＲへの試験管Ｓの準備を、試験管Ｓの中間より上部がラック上面から露出するように試験管Ｓを保持することで、採血後の試験管Ｓへ収容された検体の状態を確認できるようにするためのものである。
【００３９】
このようにしてラックＲの試験管保持孔３５へ試験管Ｓが投入された後は、ラック駆動機構１６のＸ軸スライダー３７及びＹ軸スライダー３８を駆動させて次に投入予定の空の試験管保持孔３５を投入シュート１５の直下へ移動させて配置し、前記した以上の動作を繰り返して順次、ラックＲの試験管保持孔３５へラベル貼着後の試験管Ｓを投入準備する。ラックＲの試験管保持孔３５への全ての試験管Ｓの投入が完了した後は、アタッチメントＡを取り外し、次のラックＲの上面へセットすればよい。これで一つのラックＲに対する試験管Ｓの準備作業は終了する。然る後は、ラック機構１６から試験管投入済のラックＲを取り外し、新たなラックＲを装着すればよい。
【００４０】
ところで、このラック装置３においては、試験管Ｓの搬送途中において、試験管Ｓが搬送路途中で詰まったりすることが考えられる。そのため、本実施の形態にあっては、そのための保守点検を容易にするための手段が設けられている。切出装置１８は手動により操作することが可能であり、前進した状態で、搬入コンベア１２の上に試験管Ｓが残っていないかなどを点検することが可能である。切出装置１８は、前進位置から手を放すと、ばね等の蓄性弾力により自動復帰するようになっている。またターンテーブル１３のホッパー下方に設けられたボックス状の開閉シャッター２２は手動で開放することが可能であり、これも手を離すと蓄性弾力などにより閉塞位置へ自動復帰することが可能である。更に、搬出コンベア１４のターンテーブル直下に位置する手前側の側面部分に設けられた点検扉３２と、投入シュート１５の手前側側面に設けた点検扉３４とは、蝶番とばね等の蓄性弾力により常時は閉塞方向へ付勢され、手動によりワンタッチで開放されてその内部を確認することができるようになっている。また確認後は手を放すだけで蓄性弾力により自動復帰することが可能である。
【００４１】
このように本実施の形態におけるラックＲ又はトレイＴへの試験管準備装置１にあっては、一つのオートラベラーによって試験管Ｓへラベルを貼着した後、ラックＲ又はトレイＴへ選択的に供給することができる。つまり、オートラベラーを兼用でき、イニシャルコストの低下、装置全体のコンパクト化が可能である。また一つの装置で外来の採血検査と病棟の採血検査とを受け持つことが可能である。
【産業上の利用可能性】
【００４２】
ところで、本発明は上述した実施の形態に限定されるものではなく、適宜の変更が可能である。例えば、本装置は、ラベラー本体２がオートラベラーの機能と、トレイＴへの試験管準備装置の機能とを有しており、ラベラー本体２のみを単独で使用することも可能であるため、ラベラー本体２が先行して導入されている医療機関などに対して、ラック装置３を後から追加して装備し、トレイＴとラックＲのどちらへもラベル貼着後の試験管Ｓを準備するシステム構成が可能である。
【図面の簡単な説明】
【００４３】
【図１】本発明の一実施の形態に係るラック又はトレイへの試験管準備装置の全体を示す平面図である。
【図２】本発明の一実施の形態に係るラック又はトレイへの試験管準備装置の全体を示す正面図である。
【図３】本発明の一実施の形態に係るラック装置を示す右側面図である。
【図４】本発明の一実施の形態に係るラベラー本体の右側面図である。
【図５】本発明の一実施の形態に係るターンテーブルの平面図である。
【図６】本発明の一実施の形態に係るターンテーブルの正面図である。
【符号の説明】
【００４４】
１…ラック又はトレイへの試験管準備装置、２…ラベラー本体、３…ラック装置、４…トレイ機構部、５…第１コンベア、６…第２コンベア、７…トレイストッカー、８…手貼りラベラー、９…リフター、１０…昇降コンベア、１１…ベルト駆動手段、１２…搬入コンベア、１３…ターンテーブル、１４…搬出コンベア、１５…投入シュート、１６…ラック機構、１７…ストッパー、１８…切出装置、１９…切出板、２０…回転体、２１…ホッパー、２２…開閉シャッター、３２，３４…点検扉、３３…姿勢変更通路部、３５…試験管保持孔、Ａ…アタッチメント、Ｒ…ラック、Ｔ…トレイ、Ｓ…試験管
【図１】
2008268032.tif 000003
【図２】
2008268032.tif 000004
【図３】
2008268032.tif 000005
【図４】
2008268032.tif 000006
【図５】
2008268032.tif 000007
【図６】
2008268032.tif 000008